(57)【要約】 【課題】部門管理機能が導入されている画像処理装置に関して、災害の発生時あるいは発生後の復旧時においては、ユーザの手元にＩＤカードが無いために認証を行えず、画像処理装置の機能を利用することができない状況が考えられる。また、非常時においては、限られた画像処理装置に対して多くのユーザが一時に利用する可能性があるため、個々にＩＤ番号とパスワードを入力することで認証を行わせて画像処理装置を利用させることは、非常時には相応しくないと考えられる。【解決手段】画像処理装置に災害時に災害が発生したことを示す信号を受信する受信手段を持たせ、この信号を受信することによって、非常モードに移行する移行手段することにより、認証行為を行うことなく記画像処理装置の機能の一部乃至全部を利用することが可能とする。【選択図】  図９
2015139024.tif 000002
【特許請求の範囲】
【請求項１】
利用の際に認証行為を必要とする画像処理装置１２０を含む画像処理システム１００であって、
災害時に災害が発生したことを示す信号を受信する受信手段Ｓ６０１と、
前記信号を受信することによって、画像処理装置１２０を通常の状態から非常対応の処理が可能な状態に移行する移行手段Ｓ６０３と、
前記非常対応の処理が可能な状態においては、前記認証行為を行うことなく、前記画像処理装置１２０の機能の一部乃至全部を利用することが可能となる
ことを特徴とする画像処理システム１００。
【請求項２】
前記画像処理装置１２０は、その前記認証行為が一人以上のグループ単位で行われ、前記グループ単位での前記画像処理装置１２０の利用量に相当する情報５２０を保持することを特徴とする画像処理システム１００であって、前記非常対応の処理が可能な状態においては、前記利用量に相当する情報５２０を更新しないことを特徴とする請求項１に記載の画像処理システム１００。
【請求項３】
前記画像処理システム１００は、前記非常対応の処理が可能な状態における前記画像処理装置１２０の利用量に相当する情報１３２０を保持することを特徴とする画像処理システム１００であって、前記非常対応の処理が可能な状態においては、当該状態における利用量に相当する情報１３２０を更新する(Ｓ１４３１)ことを特徴とする請求項２に記載の画像処理システム１００。
【請求項４】
前記画像処理装置１２０は、その前記認証行為が一人以上のグループ単位で行われ、前記画像処理装置１２０の利用可能な機能に前記グループ単位で制限が設けられており、前記画像処理装置１２０は、前記非常対応の処理が可能な状態においては、前記画像処理装置１２０の利用可能な機能に制限が設けられていることを特徴とする画像処理システム１００であって、前記非常対応の処理が可能な状態においては、当該状態において前記認証行為を行って前記画像処理装置１２０を利用する際に、前記グループ単位の制限と前記当該状態の制限とを比較(Ｓ１５０２)し、前記グループ単位の制限の一部が、前記当該状態の制限に含まれない場合、前記グループ単位の制限の一部に相当する機能を利用可能にする(Ｓ１５０３)ことを特徴とする請求項１に記載の画像処理システム１００。
【発明の詳細な説明】
【技術分野】
【０００１】
本発明は、画像処理装置、画像処理システム、情報処理装置、プログラムに関するものである。
【背景技術】
【０００２】
近年、災害が発生した際の電化製品などの危機管理対応が検討されている。災害としては、たとえば火災、地震、水害などが挙げられる。これらの災害の発生時あるいは発生後の復旧時において、非常時ならではの電化製品の運用が必要となるケースがある。オフィス用複合機に代表される画像処理装置に関しても、平常時とは異なる非常時の対応について、従来から検討されている。
【０００３】
非常時では、平常時での利用とは異なり、画像処理装置を緊急且つ柔軟に利用したいというユーザの要望がある。このような背景から、従来の画像処理装置における非常時の対応として、たとえば特許文献１のように、非常時における課金処理の柔軟性を高める手法が提案されている。
【先行技術文献】
【特許文献】
【０００４】
【特許文献１】特開２００８−１２４５６２号公報
【発明の概要】
【発明が解決しようとする課題】
【０００５】
主にオフィス用複合機に対して導入される機能として、部門管理機能がある。部門管理機能とは、組織内の一定のグループなど、部門毎に予め設定されたＩＤに基づいて画像処理装置を利用することにより、画像処理装置の利用に関する部門毎のコスト管理や、機能制限などを実現する機能である。ＩＤを認証する仕組みとして、画像処理装置にＩＤ番号とパスワードを入力することで画像処理装置へのログインを行うものや、画像処理装置に事前に登録されたＩＤカードを読み取らせることで認証を行うものがある。このようにして認証を行うことで、部門毎に設定された画像処理装置の機能を利用することができるようになっている。
【０００６】
このような部門管理機能が導入されている画像処理装置に関して、災害の発生時あるいは発生後の復旧時においては、ユーザの手元にＩＤカードが無いために認証を行えず、画像処理装置の機能を利用することができない状況が考えられる。また、非常時においては、限られた画像処理装置に対して多くのユーザが一時に利用する可能性があるため、個々にＩＤ番号とパスワードを入力することで認証を行わせて画像処理装置を利用させることは、非常時には相応しくないと考えられる。
【０００７】
本発明は、災害の発生時あるいは発生後の復旧時において、部門管理機能が導入されている画像処理装置の利用の柔軟性を高めることを目的とする。
【課題を解決するための手段】
【０００８】
本発明の一実施形に係る画像処理装置、画像処理システム、情報処理装置、およびプログラムは、利用の際に認証行為を必要とする画像処理装置１２０を含む画像処理システム１００であって、災害時に災害が発生したことを示す信号を受信する受信手段と、前記信号を受信することによって、画像処理装置１２０を通常の状態から非常対応の処理が可能な状態に移行する移行手段と、前記非常対応の処理が可能な状態においては、前記認証行為を行うことなく、前記画像処理装置１２０の機能の一部乃至全部を利用することが可能となることを特徴とする。
【発明の効果】
【０００９】
本発明により、災害の発生時あるいは発生後の復旧時において、部門管理機能が導入されている画像処理装置の利用の柔軟性を高めることが可能となる。
【図面の簡単な説明】
【００１０】
【図１】画像処理装置１２０を含む画像処理システム１００の構成図である。
【図２】画像処理システム１００を構成する各装置のハードウェア構成図である。
【図３】画像処理装置１２０のソフトウェア構成図である。
【図４】サーバ装置１３０内のユーザ情報を示す図である。
【図５】サーバ装置１３０内の部門情報を示す図である。
【図６】非常モードに移行する流れの説明図である。
【図７】画像処理装置１２０が通常モードである場合に実行される代表的な処理を示す図である。
【図８】通常モードのログイン時に表示部３５０が表示するユーザインターフェースの図である。
【図９】印刷の際に表示部３５０が表示するユーザインターフェースの図である。
【図１０】画像処理装置１２０が非常モードである場合に実行される代表的な処理を示す図である。
【図１１】非常モードのログイン時に表示部３５０が表示するユーザインターフェースの図である。
【図１２】非常モードの事前設定の画面を示す図である。
【図１３】非常モード制限情報を示す図である。
【図１４】画像処理装置１２０が非常モードである場合に実行される代表的な処理を示す図である。
【図１５】Ｓ１４２３において表示するメニューの制限解除の処理を示す図である。
【発明を実施するための形態】
【００１１】
以下に、本発明の好ましい実施の形態を、添付の図面に基づいて説明する。
【００１２】
［実施例１］
図１は、本実施例の形態が適用される画像処理装置１２０を含む画像処理システム１００の構成図である。画像処理システム１００は、サーバ装置１３０と画像処理装置１２０を含む。二種類の装置はネットワーク１１０を介して互いに接続されている。尚、各装置は図中で示された数である必要はなく、１台または複数台から構成されていてもよい。
【００１３】
次に、画像処理システム１００を構成する各装置のハードウェア構成について説明する。図２は、画像処理システム１００を構成する各装置のハードウェア構成を示す図である。２００は、画像処理システム１００を構成するサーバ装置１１０乃至画像処理装置１２０を示す。２１０は、ＣＰＵ（ＣｅｎｔｒａｌＰｒｏｃｅｓｓｉｎｇ Ｕｎｉｔ）であり、各種プログラムを実行し、様々な機能を実現するユニットである。２２０は、ＲＯＭ（ＲｅａｄＯｎｌｙ Ｍｅｍｏｒｙ）であり、各種プログラムを記憶するユニットである。２３０は、ＲＡＭ（ＲａｎｄｏｍＡｃｃｅｓｓ Ｍｅｍｏｒｙ）であり、ＣＰＵ２１０は、ＲＯＭ２２０に記憶されているプログラムをＲＡＭ２３０にロードしプログラムを実行する。
【００１４】
また、ＲＡＭ２３０は、ＣＰＵ２１０の一時的な作業記憶領域としても利用されるユニットである。Ｉｎｐｕｔ／Ｏｕｔｐｕｔインターフェース２４０は、各装置に接続されているディスプレイ（不図示）にデータを送信する他、場合によってはポインティングデバイス（不図示）からデータを受信するインターフェースユニットである。ＮＩＣ（ＮｅｔｗｏｒｋＩｎｔｅｒｆａｃｅ Ｃａｒｄ）２５０は、画像処理システム１００を構成する各装置をネットワーク１１０に接続するためのユニットである。以上説明してきたユニットは、バス２６０を介してデータの送受信を行うことが可能である。また、画像処理装置１２０は、印刷ユニット（不図示）を搭載しており、印刷ユニットは、バス２６０を介して各ユニットとデータを送受信することが可能である。尚、印刷ユニットは、ラスターイメージを記録媒体に印刷することが可能なユニットである。
【００１５】
次に、画像処理装置１２０のソフトウェア構成について説明する。図３は、画像処理システム１００を構成する画像処理装置１２０のソフトウェア構成を示す図である。通信部３１０はネットワーク１００を介して、サーバ装置１１０とデータのやりとりを行う機能を持つ。認証部３２０は画像処理装置１２０に入力されたユーザ情報と、サーバ装置のユーザ情報と照合することにより、画像処理装置１２０へのユーザのログインを管理する機能を持つ。印刷処理部３３０は画像処理装置１２０に入力された印刷データの印刷処理を行う機能を持つ。表示部３５０は画像処理装置１２０のディスプレイにユーザインターフェースを表示する機能を持つ。状態管理部３４０は画像処理装置１２０の通常モードあるいは非常モードといった状態を管理する機能を持つ。これらの各部が互いにデータのやりとりを行い、画像処理装置１２０による印刷などの機能を実現する。
【００１６】
次に、サーバ装置１３０の持つデータについて説明する。図４はサーバ装置１３０内のユーザ情報を示す図である。ユーザＩＤ４１０とパスワード４２０は、それぞれユーザ毎に決められた識別ＩＤとパスワードである。部門ＩＤ４３０は部門管理において、そのユーザの所属する部門を示す識別ＩＤである。図４の場合、ユーザ名が「Ｔａｒｏ」であるユーザと「Ｊｉｒｏ」であるユーザは部門管理上同一の部門「０１＿ＴｅａｍＡ」に属することを示す。図５はサーバ装置１３０内の部門情報を示す図である。部門ＩＤ５１０は図４における部門ＩＤ４３０に対応する。カウンタ５２０はその部門ＩＤ５１０に属するユーザの印刷ページ数の総和を示す。カウンタは５２０、印刷形態によって複数種類が存在してもよい。
【００１７】
例えば、モノクロ印刷とカラー印刷で区別して扱うことが代表的な方法だが、これには限らない。制限機能５３０はその部門ＩＤ５１０に属するユーザが画像処理装置１２０を利用する際に利用を制限される機能を示す。図５の場合、部門ＩＤ５１０「０１＿ＴｅａｍＡ」に属するユーザは、カラー印刷、片面印刷、ステープル印刷のいずれも利用可能であることを示す。一方、部門ＩＤ５１０「０２＿ＴｅａｍＢ」に属するユーザは、片面印刷とステープル印刷は可能だが、カラー印刷の利用は制限されていることを示す。これらの情報は、画像処理装置１２０の通信部３１０を介して、画像処理装置１２０とサーバ装置１３０間で送受信が行われる。尚、カラー印刷、片面印刷、ステープル印刷など、これらの機能は画像処理装置１２０の持つ機能の一例であり、本提案の内容はこれらの機能に限定されるものではない。
【００１８】
次に、画像処理装置１２０の状態の切り替えについて説明する。画像処理装置１２０は、通常モードと非常モードの２つの状態を持つ。平時は通常モードで動作するが、状態管理部３４０で災害に関する情報を取得することにより非常モードに移行する。このモードの移行の流れを図６に示す。Ｓ６０１において、画像処理装置１２０の状態管理部３４０は、災害に関する情報を取得するまで待機する。ここ災害に関する情報を取得した場合、Ｓ６０２において現在のモードを確認する。現在のモードが通常モードであれば、Ｓ６０３において、非常モードに移行する。
【００１９】
ここで、災害に関する情報の取得手段について、具体的に説明する。取得手段の一つは、画像処理装置１２０に対して、災害が発生した際に活用すべきサービススイッチを設けることにより、災害に関する情報を取得するものである。この様態においては、災害が発生した際に、画像処理装置１２０に対して特定のスイッチの切り替えや特定のコマンドを入力することにより、状態管理部３４０に災害が発生したことが通知される。尚、後述する非常モードの特性のため、この操作は画像処理装置１２０の管理者のみが行えることが望ましい。
【００２０】
別の取得手段の一つは、画像処理装置１２０に外気温センサや振動センサなどを備えることにより、災害に関する情報を取得するものである。この様態においては、画像処理装置１２０のセンサによる観測値が一定値を超えた際に、状態管理部３４０に災害が発生したことが通知される。別の取得手段の一つは、画像処理装置１２０に対して、災害が発生した際あるいは発生が予想される際に官公庁や企業などから発せられる災害情報の受信装置を設けることにより、災害に関する情報を取得するものである。
【００２１】
例えば、地震の場合、気象庁から地震の発生時刻や場所、予測される揺れの大きさなどの情報が含まれる、「高度利用者向けの緊急地震速報」が発行される。画像処理装置１２０に当該速報を受信する機構を備えることで、災害に関する情報取得が可能となる。地震以外の災害の場合であっても、ネットワーク１００を介して、予め決められた仕様に基づく災害情報を通信部３１０で受信することで、災害に関する情報取得が可能となる。尚、本発明は、上記実施例に限定されるものではなく、上記の取得手段に関して種々の態様を採ることができる。
【００２２】
以下、画像処理装置１２０が通常モードである場合に実行される処理について、フローチャートを用いて説明する。図７は画像処理装置１２０が通常モードである場合に実行される代表的な処理を示したフローチャートである。Ｓ７０１において、ユーザはログイン情報を画像処理装置１２０に入力する。図８はＳ７０１において表示部３５０が表示するユーザインターフェースの図である。ユーザＩＤ入力欄８１０とパスワード入力欄８２０のそれぞれに、利用するユーザのユーザＩＤとパスワードを適切に入力し、認証ボタン８３０を押下する。
【００２３】
そして、Ｓ７０２において、画像処理装置１２０は、入力されたユーザ情報８１０及び８２０の確認を行う。認証部３２０は通信部３１０を介してサーバ装置１３０のユーザ情報４１０及び４２０と照合し、入力されたユーザ情報８１０及び８２０が適切な場合は認証成功し画像処理装置１２０へのログインが行われるが、不適切な場合は認証エラーの旨のメッセージを表示し、画像処理装置１２０へのログインは行われない。そして認証が成功した場合、Ｓ７０３において、画像処理装置１２０を利用するためのメニューが表示される。このとき、ログインしたユーザの属する部門ＩＤで制限された制限機能５３０がある場合、それに従う。
【００２４】
図９はＳ７０３において表示部３５０が表示するユーザインターフェースの図である。この場合、カラーモード、印刷方法、ステープルの有無について、全て選択可能であることを示している。Ｓ７０４において、ユーザは所望する画像処理装置１２０の機能を指定する。これを受けてＳ７０５において、画像処理装置１２０は印刷処理部３３０で印刷処理を実行する。その後、Ｓ７０６において、画像処理装置１２０は通信部３１０により、サーバ装置１３０のユーザの部門ＩＤの当該カウンタ４２０を更新し、今回の印刷処理の結果をカウンタに反映させる。
【００２５】
次に、画像処理装置１２０が非常モードである場合に実行される処理について、フローチャートを用いて説明する。図１０は画像処理装置１２０が非常モードである場合に実行される代表的な処理を示したフローチャートである。図１１は非常モード時に表示部３５０が表示するユーザインターフェースの図である。ユーザＩＤ入力欄１１０１とパスワード入力欄１１０２、認証ボタン１１０３については、通常モード時のユーザインターフェース図８と同様である。非常モードにおいては、非常利用ボタン１１０４を押下することにより、ユーザ認証を行わずに画像処理装置１２０の機能を利用することが可能となる。Ｓ１００１において、画像処理装置１２０は非常利用ボタンが１１０３押下されたか判断する。Ｓ１００１において非常利用ボタン１１０３が押下された場合、Ｓ１０１１において、画像処理装置１２０を利用するためのメニューが表示される。そしてＳ１０１２において、ユーザは所望する画像処理装置１２０の機能を指定する。これを受けて画像処理装置１２０は印刷処理部３３０で印刷処理を実行する。
【００２６】
一方、非常モード時であっても、図１１のユーザＩＤ入力欄１１０１とパスワード入力欄１１０２に適切なユーザ情報を入力し、認証ボタンを押下することにより、画像処理装置１２０にログインして利用することが可能となる。通常モード時と同様に、Ｓ１０２１において、画像処理装置１２０は、入力されたユーザ情報の確認を行う。認証部３２０は通信部３１０を介してサーバ装置１３０のユーザ情報４１０及び４２０と照合し、入力されたユーザ情報１１０１及び１１０２が適切な場合は認証成功し画像処理装置１２０へのログインが行われるが、不適切な場合は認証エラーの旨のメッセージを表示し、画像処理装置１２０へのログインは行われない。
【００２７】
そして認証が成功した場合、Ｓ１０２３において、画像処理装置１２０を利用するためのメニューが表示される。このとき、ログインしたユーザの属する部門ＩＤで制限された制限機能５３０がある場合、それに従う。Ｓ１０２４において、ユーザは所望する画像処理装置１２０の機能を指定する。これを受けて画像処理装置１２０は印刷処理部３３０で印刷処理を実行する。非常モード時に画像処理装置１２０を利用する場合は、通常モード時に利用する場合と異なり、サーバ装置３１０のユーザの部門ＩＤのカウンタを更新し、今回の印刷処理の結果を反映させることはない。
【００２８】
［実施例２］
本実施例は、非常モード時において、ユーザ認証を行わずに画像処理装置１２０の機能を利用する場合に、ユーザが利用可能な機能に関して事前設定が行える場合を説明する。
【００２９】
まず、事前設定に関して説明する。画像処理システム１００の管理者は、サーバ装置１３０にアクセスすることにより、非常モード時において、ユーザ認証を行わずに利用可能な画像処理装置１２０の機能に関する設定を行う。これにより、非常モード時において、ユーザに提供すべき機能、そうでない機能を任意に設定することが可能となる。具体的には、事前に図１２に示すインターフェースにより、画像処理装置１２０の個々の機能に対して非常時の有効／無効を設定する。この設定は、図１３に示す非常モード制限情報としてサーバ装置１３０に保持される。図１３の場合、非常モードの事前設定として、カラー印刷と片面印刷は可能であるが、ステープル印刷は制限されていることを示す。
【００３０】
以下、画像処理装置１２０が通常モードである場合に実行される処理について、フローチャートを用いて説明する。本実施例において、本実施例の形態が適用される画像処理装置１２０を含む画像処理システム１００の構成や、画像処理装置１２０が通常モード時である場合に実行される処理は、実施例１と同様であるため、説明は省略する。図１４は画像処理装置１２０が非常モードである場合に実行される代表的な処理を示したフローチャートである。実施例１におけるＳ１００１と同様に、Ｓ１４０１において、画像処理装置１２０は非常利用ボタン１１０４が押下されたか判断する。Ｓ１４０１において非常利用ボタン１１０４が押下された場合、Ｓ１４１１において、画像処理装置１２０を利用するためのメニューが表示される。このとき、表示部３５０は通信部３１０を介して、サーバ装置１５０の非常モード制限情報１３３０に基づき、事前に設定された機能制限に従って、メニューを表示する。そしてＳ１４１２において、ユーザは所望する画像処理装置１２０の機能を指定する。これを受けて画像処理装置１２０は印刷処理部３３０で印刷処理を実行する。
【００３１】
一方、非常モード時であっても、実施例１と同様に図１１のユーザＩＤ入力欄１１０１とパスワード入力欄１１０２に適切なユーザ情報を入力し、認証ボタン１１０３を押下することにより、画像処理装置１２０にログインして利用することが可能となる。Ｓ１４２１において、Ｓ１０２１と同様に画像処理装置１２０は、入力されたユーザ情報の確認を行う。認証部３２０は通信部３１０を介してサーバ装置１３０のユーザ情報４１０及び４２０と照合し、入力されたユーザ情報１１０１及び１１０２が適切な場合は認証成功し画像処理装置１２０へのログインが行われるが、不適切な場合は認証エラーの旨のメッセージを表示し、画像処理装置１２０へのログインは行われない。
【００３２】
そして認証が成功した場合、Ｓ１４２３において、画像処理装置１２０を利用するためのメニューが表示される。このとき、ログインしたユーザの属する部門ＩＤで制限された制限機能５３０がある場合、非常モード制限情報１３３０を参照し、比較が行われる。Ｓ１４２３において表示するメニューの制限解除について、そのフローを図１５に示す。Ｓ１５０１において、ユーザの属する部門ＩＤで制限された機能があるかどうか判断する。ユーザの属する部門ＩＤで制限された機能がある場合、Ｓ１５０２において、ユーザの属する部門ＩＤで制限された制限機能５３０の中に、非常モード制限情報１３３０で制限されていない機能が含まれるかどうか判断する。
【００３３】
もし含まれる場合、Ｓ１５０３においてその機能の制限が解除されてメニューを表示する。逆に含まれない場合、Ｓ１５０４において、元々のユーザの属する部門ＩＤで制限された制限機能５３０に従ってメニューを表示する。また、Ｓ１５０１において、ユーザの属する部門ＩＤで制限された機能がない場合、Ｓ１５０５において、全ての機能を利用可能な状態でメニューを表示する。例えば、図５に示す部門ＩＤ５１０が「０２＿ＴｅａｍＢ」であるユーザが、非常モード時にログインして利用する場合、非常モード制限情報１３３０と比較した結果、「カラー印刷」の機能の制限が解除され、「カラー印刷」、「片面印刷」、「ステープル印刷」の機能が利用可能となる。
【００３４】
また、図５に示す部門ＩＤ５１０が「０３＿ＴｅａｍＣ」であるユーザが、非常モード時にログインして利用する場合、非常モード制限情報１３３０と比較した結果、「カラー印刷」と「片面印刷」の機能の制限が外所され、「カラー印刷」、「片面印刷」の機能が利用可能となる。そして、Ｓ１４２４において、ユーザは所望する画像処理装置１２０の機能を指定する。これを受けて画像処理装置１２０は印刷処理部３３０で印刷処理を実行する。非常モード時に画像処理装置１２０を利用する場合は、実施例１と同様に、サーバ装置１３０のユーザの部門ＩＤのカウンタ５２０を更新し、今回の印刷処理の結果を反映させることはない。
【００３５】
尚、本実施例では、非常モード制限情報１３３０は、サーバ装置１３０に保持されるとしたが、これに代わり、画像処理装置１２０にアクセスし、画像処理装置１２０に保持される様態であってもよい。
【００３６】
［その他の形態］
先の実施例では、非常モード時に画像処理装置１２０を利用する場合に、サーバ装置１３０に保持された部門ＩＤのカウンタ５２０の更新を行わなかった。しかしながら、非常モード時の利用を特定の部門ＩＤで管理し、非常モード時の利用については、図１４のＳ１４３１の処理として、その非常モード時の利用を示す特定の部門ＩＤのカウンタを更新する形態であってもよい。
【００３７】
また本実施例では、画像処理装置１２０へのログインの再に、ユーザ名とパスワードによる認証を行った。しかしながら、ユーザ個別のパスワードによる管理でなく、例えば部門名とパスワードによる認証であってもよい。また、同等の情報が記載されたＩＤカードと画像処理装置１２０に設置されたカードリーダーによる認証であってもよい。それら場合であっても本提案の効果は有効である。
【符号の説明】
【００３８】
１００  画像処理システム
１２０  画像処理装置
１３０  サーバ装置
【図１】
2015139024.tif 000003
【図２】
2015139024.tif 000004
【図３】
2015139024.tif 000005
【図４】
2015139024.tif 000006
【図５】
2015139024.tif 000007
【図６】
2015139024.tif 000008
【図７】
2015139024.tif 000009
【図８】
2015139024.tif 000010
【図９】
2015139024.tif 000011
【図１０】
2015139024.tif 000012
【図１１】
2015139024.tif 000013
【図１２】
2015139024.tif 000014
【図１３】
2015139024.tif 000015
【図１４】
2015139024.tif 000016
【図１５】
2015139024.tif 000017